(57)【特許請求の範囲】
【請求項１】
シートを積載するためのトレイと、
前記トレイ上のシートの有無を検知する第１の検知手段と、
前記トレイから給紙されたシートが搬送される搬送路と、
前記搬送路内に設けられ、シートの有無を検知可能な状態と検知不可能状態を電気的に切り替え可能な第２の検知手段と、
前記第１の検知手段が検知可能な状態にあるにも関わらず、前記第２の検知手段を検知不可能状態に変える制御手段と、を有し、
前記制御手段は、前記第１の検知手段がシート有りを検知したことに応じて、前記第２の検知手段を検知可能な状態に変えることを特徴とするシート給送装置。
【請求項２】
前記トレイより給紙され、前記搬送路を搬送されたシートを積載する排紙トレイを備え、
前記第２の検知手段が検知可能な状態に変えられた後、前記制御手段は、前記トレイ上に載置された全てのシートが前記排紙トレイに排出されたことに応じて、前記第２の検知手段をシートの有無が検知不可能な状態に変えることを特徴とする請求項１記載のシート給送装置。
【請求項３】
前記第２の検知手段は、発光素子と受光素子を含み、
前記制御手段は、シートの有無を検知不可能な状態に変えるとき、前記発光素子の発光を止めることを特徴とする請求項１または２に記載のシート給送装置。
【請求項４】
前記第２の検知手段は、発光素子と受光素子を含み、
前記制御手段は、シートの有無を検知不可能な状態に変えるとき、前記発光素子の発光量を低下させることを特徴とする請求項１または２記載のシート給送装置。
【請求項５】
原稿を積載するための原稿トレイと、
前記原稿トレイ上の原稿の有無を検知する第１の検知手段と、
前記原稿トレイから給紙されたシートが搬送される原稿搬送路と、
前記原稿搬送路内に設けられ、原稿の有無を検知可能な状態と検知不可能状態  を電気的に切り替え可能な第２の検知手段と、
前記第１の検知手段が検知可能な状態にあるにも関わらず、前記第２の検知手段を検知不可能状態に変える制御手段と、を有し、
前記制御手段は、前記第１の検知手段が原稿有りを検知したことに応じて、前記第２の検知手段を検知可能な状態に変えることを特徴とする原稿給送装置。
【請求項６】
前記原稿トレイより給紙され、画像読取が行われた原稿を積載する排紙トレイを備え、
前記第２の検知手段が検知可能な状態に変えられた後、前記制御手段は、画像読取動作開始前に前記第１の検知手段が原稿無しを検知したことに応じて、前記第２の検知手段を原稿の有無が検知不可能な状態に変えることを特徴とする請求項５記載の原稿給送装置。
【請求項７】
前記原稿トレイより給紙され、画像読取が行われた原稿を積載する排紙トレイを備え、
前記第２の検知手段が検知可能な状態に変えられた後、前記制御手段は、前記原稿トレイ上に載置された全ての原稿が前記排紙トレイに排出されたことに応じて、前記第２の検知手段を原稿の有無が検知不可能な状態に変えることを特徴とする請求項５記載の原稿給送装置。
【請求項８】
前記第２の検知手段は、発光素子と受光素子を含み、
前記制御手段は、原稿の有無を検知不可能な状態に変えるとき、前記発光素子の発光を止めることを特徴とする請求項５乃至７のいずれか１項に記載の原稿給送装置。
【請求項９】
前記第２の検知手段は、発光素子と受光素子を含み、
前記制御手段は、原稿の有無を検知不可能な状態に変えるとき、前記発光素子の発光量を低下させることを特徴とする請求項５乃至７のいずれか１項に記載の原稿給送装置。
【請求項１０】
原稿給送装置の開閉状態を検知する第３の検知手段を備え、
前記第３の検知手段は、前記第１の検知手段による原稿の検知に関わらず、常に開閉状態を検知し、検知結果を画像形成装置へ通知することを特徴とする請求項５乃至９のいずれか１項に記載の原稿給送装置。
【請求項１１】
前記第１の検知手段は、発光素子と受光素子を含むことを特徴とする請求項５乃至１０のいずれか１項に記載の原稿給送装置。
【請求項１２】
前記発光素子はＬＥＤ、前記受光素子はフォトトランジスタであることを特徴とする請求項１１記載の原稿給送装置。
【請求項１３】
前記搬送路内を搬送されるシートを搬送するためのローラと、
前記制御部によって制御され、前記ローラを駆動する駆動部と、を有し、
前記第１の検知手段が検知可能な状態において、前記制御部は、前記駆動部の初期化を行わずに前記第２の検知手段を検知不可能状態から検知可能な状態に変えることを特徴とする請求項１乃至４のいずれか１項に記載のシート給送装置。
【請求項１４】
前記制御部は電源投入時に前記駆動部の初期化を行うことを特徴とする請求項１３に記載のシート給送装置。
【発明の詳細な説明】
【０００１】
【発明の属する技術分野】
本発明は、原稿を検知するセンサを複数有する原稿給送装置に関する。
【０００２】
【従来の技術】
従来、複写機に装着される原稿給送装置には複数のセンサ及び複数のモータを備えられている。そして、近年、原稿トレイや原稿搬送路に設けられるセンサには、発光素子の光が原稿から反射して受光素子に受光されるよう発光素子及び受光素子を配置したセンサや、発光素子から受光素子への光が原稿により遮断されるように発光素子及び受光素子を配置したセンサが用いられるようになってきている。これらの発光素子と受光素子との間に原稿等の紙が介在するタイプのセンサにおいては、紙紛が発光素子又は受光素子に堆積しやすいため、紙紛等の影響により受光素子の受光量が足りないときには発光素子の発光量を高めるよう制御している。
【０００３】
【発明が解決しようとする課題】
しかしながら、原稿給送装置に電源が供給されている間は、発光素子の発光量を高めるために高い電流を流し続けることとなり、発光素子の寿命に影響を与える可能性がある。特開２０００−２８９８８５号公報には、上述の発光素子及び受光素子を用いたセンサを備えた原稿給送装置が示され、原稿トレイに原稿がセットされていないときは、原稿給送装置のセンサを含むロジック系電源とモータを含むパワー系電源のうちパワー系電源をオフ状態にしておくことが示されているが、ロジック系の電源は常時オン状態にある前提となっているため、消費電力の点では優れているが、寿命の問題は未だ解決されていない。
【０００４】
【課題を解決するための手段】
上述の問題に鑑み、本発明は、シートを積載するためのトレイと、前記トレイ上のシートの有無を検知する第１の検知手段と、前記トレイから給紙されたシートが搬送される搬送路と、前記搬送路内に設けられ、シートの有無を検知可能な状態と検知不可能状態を電気的に切り替え可能な第２の検知手段と、前記第１の検知手段が検知可能な状態にあるにも関わらず、前記第２の検知手段を検知不可能状態に変える制御手段と、を有し、前記制御手段は、前記第１の検知手段が原稿有りを検知したことに応じて、前記第２の検知手段を検知可能な状態に変えることを特徴とするシート給送装置である。
また、本願発明は、原稿を積載するための原稿トレイと、前記原稿トレイ上の原稿の有無を検知する第１の検知手段と、前記原稿トレイから給紙されたシートが搬送される原稿搬送路と、前記原稿搬送路内に設けられ、原稿の有無を検知可能な状態と検知不可能状態を電気的に切り替え可能な第２の検知手段と、前記第１の検知手段が検知可能な状態にあるにも関わらず、前記第２の検知手段を検知不可能状態に変える制御手段と、を有し、前記制御手段は、前記第１の検知手段が原稿有りを検知したことに応じて、前記第２の検知手段を検知可能な状態に変えることを特徴とする原稿給送装置である。
【０００５】
【発明の実施の形態】
本発明の画像形成装置の実施形態について説明する。図１は画像形成装置の構成を示す図である。画像形成装置は、イメージリーダ２００およびプリンタ部３００からなる画像形成装置本体、折り装置５００およびフィニッシャ６００から構成される。イメージリーダ２００の上部には、原稿給送装置（原稿給送装置）１００が装着されている。
【０００６】
原稿給送装置１００は、原稿トレイ１０５上にセットされた原稿を先頭頁から順に１枚ずつ給紙し、湾曲したパスを介してプラテンガラス２０５の上に搬送させる。そして、スキャナユニット２０６上で原稿を左から右へ移動させることにより、原稿の読み取りを行う。その後、読み取った原稿を排紙トレイ１０６に排出する。
【０００７】
レンズ２０７を介してイメージセンサ２０８により読み取られた原稿の画像は、画像処理されてハードディスク４１３（図３参照）に格納されるとともにプリンタ制御部３０１を介して露光制御部３０５に送られる。露光制御部３０５は、画像信号に応じたレーザー光を出力する。このレーザー光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【０００８】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。
【０００９】
このように、フェイスダウンで排出することにより、原稿給送装置１００を用いたり、外部コンピューターから出力された画像をプリントする場合など、先頭頁から正しい頁順で画像形成を行うことが可能である。
【００１０】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００１１】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００１２】
排紙ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
【００１３】
図２は画像形成装置の制御部の構成を示すブロック図である。画像形成装置全体を制御する制御部はＣＰＵ回路部４００を中心に構成されている。ＣＰＵ回路部４００には、ＣＰＵ４０１、ＲＯＭ４０２、ＲＡＭ４０３などが設けられている。
【００１４】
ＣＰＵ回路部４００は、ＲＯＭ４０２に格納され、ＣＰＵ４０１によって実行されるプログラムおよび操作部１０２の設定にしたがって、原稿給送装置１００を制御する原稿給送装置制御部１０１、イメージリーダ２００を制御するイメージリーダ部２０１、画像信号制御部４０５、プリンタ部３００を制御するプリンタ制御部３０１、折り装置５００を制御する折り装置制御部５０１、フィニッシャ６００を制御するフィニッシャ制御部６０１および外部インターフェイス（Ｉ／Ｆ）４０６の制御を司る。
【００１５】
ＲＡＭ４０３は制御データを一時的に保存する領域、制御に伴う演算の作業領域として用いられる。外部Ｉ／Ｆ４０６は外部コンピューター４０７とのインターフェイスであり、外部コンピューター４０７からのプリントデータを画像に展開して画像信号制御部４０５に出力する。
【００１６】
イメージリーダ制御２０１は、イメージセンサ２０８で読み取られた画像を画像信号制御部４０５に出力し、画像信号制御部４０５からプリンタ制御部３０１に出力された画像データは露光制御部３０５に入力される。
【００１７】
図３は画像信号制御部４０５の構成を示すブロック図である。画像信号制御部４０５は、画像処理部４１０、ラインメモリ４１１、ページメモリ４１２およびハードディスク４１３を有する。画像処理部４１０では、画像の補正処理や操作部１０２での設定に応じた編集処理を行う。ラインメモリ４１１では、主走査方向に画像を入れ替える鏡像処理等を行う。ラインメモリ４１１の画像は、ページメモリ４１２を介してプリンタ制御部３０１に出力される。また、ハードディスク４１３は後述するように印刷するページの順序を入れ替えるときなど必要に応じて用いられ、ページメモリ４１２の画像が格納される。
【００１８】
図４、図５、図６は原稿給送装置１００の構成を示す図である。原稿トレイ１０５に原稿表面を上向きの状態（フェイスアップ）でセットされた原稿束の最上紙面上に揺動モータ８３を駆動して給紙ローラ５を降下させる。そして、分離モータ８０を駆動する事で給紙ローラ５および分離搬送ローラ８が駆動され、原稿束の最上紙から１枚ずつプラテンガラス２０５の読み取り位置へ搬送される。
【００１９】
原稿トレイ１０５からプラテンガラス２０５にかけては、原稿をプラテンガラス２０５上に誘導するための原稿搬送路（Ａ）（Ｂ）（Ｃ）が構成されている。この原稿搬送路（Ａ）（Ｂ）（Ｃ）は、屈曲（下方に湾曲）してプラテンガラス２０５上の原稿搬送路（Ｄ）に接続している。原稿搬送路（Ａ）は、分離部で分離された原稿が分離搬送ローラ８によって下流方向に搬送される搬送路である。原稿搬送路（Ｂ）からは反転搬送路（Ｈ）（Ｆ）（Ｉ）が延びている。反転搬送路（Ｈ）（Ｆ）（Ｉ）は、原稿をプラテンガラス２０５に搬送する前に表裏反転するのに用いられる。反転搬送路（Ｈ）（Ｆ）（Ｉ）で反転された原稿は、スイッチバックして原稿給排路（Ｅ）を通りプラテンガラス２０５に搬送され載置される。
【００２０】
片面原稿モードの場合は、原稿搬送路（Ｂ）（Ｃ）（Ｄ）と原稿が搬送され、両面モードの場合は、原稿搬送路（Ｂ）から原稿反転路（Ｈ）（Ｆ）（Ｉ）と搬送された後に、（Ｅ）（Ｄ）と搬送される。そして、原稿トレイ１０５上にセットされた原稿の裏面が読み取り可能な状態となる。原稿搬送路（Ｂ）の後、搬送路（Ｃ）へ導かれるか搬送路（Ｈ）に導かれるかは、プリ反転フラッパソレノイド８８を駆動する事でプリ反転フラッパ２２を切り替える。更に、反転搬送路（Ｆ）からは原稿反転路（Ｇ）が分岐され原稿搬送路（Ｂ）と合流できるようになっている。搬送路（Ｅ）（Ｆ）（Ｇ）（Ｃ）を利用すれば、プラテンガラス２０５上にある原稿をスイッチバックさせて表裏反転し、再びプラテンガラス２０５に戻すことができる。
【００２１】
両面原稿モードで、裏面読み取り後に原稿の表裏を反転して表面を読み取る場合には、上記搬送路（Ｅ）（Ｆ）（Ｇ）（Ｃ）を導かれる。搬送路（Ｆ）の後、搬送路（Ｉ）へ導かれるか搬送路（Ｇ）に導かれるかは、反転フラッパソレノイド８７を駆動する事で反転フラッパ２１を切り替える。プラテンガラス２０５上の原稿は画像読み取りが終了した後、プラテンガラス２０５上の原稿搬送路（Ｄ）、原稿排紙路（Ｊ）を通して排紙トレイ１０６に排出される。プラテンガラス２０５上の搬送路（Ｄ）から原稿排紙路（Ｊ）へ導くには、原稿をプラテンガラス２０５からすくい上げなくてはならない。そこで、排紙フラッパソレノイド８９を駆動する事で排紙フラッパ２３を下方に下げる。
【００２２】
原稿給送装置１００の右側には、開閉式の手差し原稿トレイ１４が設けられている。手差し原稿トレイ１４にセットされた原稿（１枚原稿）は、手差し搬送路（Ｋ）を通してプラテンガラス２０５に給送出来るようになっている。プラテンガラス２０５上の原稿は画像読み取りが終了した後、プラテンガラス２０５上の原稿搬送路（Ｄ）、原稿排紙路（Ｊ）を通して排紙トレイ１０６に排出される。
【００２３】
図７は原稿給送装置１００の回路構成を示すブロック図である。原稿給送装置１００は、ＣＰＵ９０とＲＡＭ９１と、制御シーケンスソフトの格納されたＲＯＭ９２と、画像形成装置３００とのデータ通信を制御するための通信用ＩＣ９３を備えている。原稿給送装置１００は通信用ＩＣ９３を介して、画像形成装置からのデータに基づいて全ての動作が行われ、原稿給送装置１００の状態を常時送信している。そして、ＣＰＵ９０の入出力ポートには、各種負荷のドライブ回路およびセンサ信号が接続されている。
【００２４】
本実施形態では、分離モータ８０（ＤＣブラシモータ）はドライバ（不図示）とコントローラ（不図示）によって駆動制御されている。コントローラには、ＣＰＵ９０からモータ回転数の基準となる基準クロック、オン／オフ信号などが入力されている。
【００２５】
反転モータ８１（ステッピングモータ）とベルトモータ８２（ステッピングモータ）は、ステッピングモータドライバ（不図示）によって定電流駆動される。各々のドライバには、ＣＰＵ９０から相励磁信号と、モータ電流制御信号が入力されている。
【００２６】
揺動モータ８３は（ステッピングモータ）は、ドライバ（不図示）によって定電圧駆動されている。排紙モータ８４（ＤＣブラシモータ）は、ドライバ（不図示）とＦＧサーボ用のコントローラ（不図示）とにより駆動制御される。
【００２７】
ストッパソレイノイド８５、分離クラッチ８６、反転フラッパソレノイド８７、プリ反転フラッパソレノイド８８、排紙フラッパソレノイド８９は各々ドライバ（不図示）によって駆動される構成となっている。各ドライバは全て、ＣＰＵ９０の入出力ポートに接続された信号によって、その動作を制御されるものである。
【００２８】
さらに、分離センサ３０、斜行検知センサ３１、レジスト前センサ３２、レジスト後センサ３３、反転センサ３４、排紙センサ３６、原稿セットセンサ３７、原稿後端検知センサ３８、最終紙検知センサ３９、手差し原稿セットセンサ４０、給紙ローラホームセンサ４２、原稿幅検知センサ４４、カバー開閉検知センサ４５、ＤＦ開閉検知センサ４６等の各種センサは、ＣＰＵ９０の入力ポートに接続されており、装置内における、原稿の挙動および可動負荷の挙動をモニターするために用いられている。図４に示すように、原稿セットセンサ３７は原稿トレイ１０５に設けられ、原稿トレイ１０５に原稿が載置されたか否かを検知する。手差し原稿セットセンサ４０は手差し原稿トレイ１４に設けられ、手差し原稿トレイ１４に原稿が載置されたか否かを検知する。また、分離センサ３０、斜行検知センサ３１、レジスト前センサ３２、レジスト後センサ３３、反転センサ３４、排紙センサ３６は原稿搬送路内に設けられている。
【００２９】
図８は、原稿給送装置１００のセンサ回路構成を示す図である。分離センサ３０、斜行検知センサ３１、レジスト前センサ３２、レジスト後センサ３３、反転センサ３４、排紙センサ３６、原稿セットセンサ３７、原稿後端検知センサ３８、最終紙検知センサ３９、手差し原稿セットセンサ４０、給紙ローラホームセンサ４２、原稿幅検知センサ４４、カバー開閉検知センサ４５、ＤＦ開閉検知センサ４６等の各種センサは、図８に示される回路によって構成されている。各センサはＬＥＤ３０１（発光素子）及びフォトトランジスタ３０２（受光素子）を有している。ＣＰＵ９０の出力ポートに接続されたセンサＯＮ／ＯＦＦ信号の出力により、トランジスタ３０３のＯＮ／ＯＦＦが制御され、発光素子が発光するか否かを切り替え可能に構成されており、ＯＮ／ＯＦＦ信号の出力がＯＦＦの場合、ＬＥＤ３０１（発光素子）が発光しておらず、このときＣＰＵ９０はセンサからの入力信号を無視する。
【００３０】
但し、原稿セットセンサ３７と手差し原稿セットセンサ４０に対しては常時ＯＮ信号を出力し、常時発光素子は発光している。ＣＰＵ９０は原稿セットセンサ３７と手差し原稿セットセンサ４０にはＯＮ信号を出力しているにも関わらず、少なくとも分離センサ３０、斜行検知センサ３１、レジスト前センサ３２、レジスト後センサ３３、反転センサ３４、排紙センサ３６に対してＯＮ／ＯＦＦ信号をＯＦＦさせて、検知不可能状態にする。そして、原稿セットセンサ３７又は手差し原稿セットセンサ４０のセンサ出力信号から原稿がセットされたと判断されたならば、ＣＰＵ９０は少なくとも分離センサ３０、斜行検知センサ３１、レジスト前センサ３２、レジスト後センサ３３、反転センサ３４、排紙センサ３６のＯＮ／ＯＦＦ信号をＯＮさせて、上記以外の全てのセンサを検知不可能状態から検知可能な状態に切り替える。動作が開始されず原稿がセットされたままの状態の間も、ＯＮ／ＯＦＦ信号をＯＮし続ける。
【００３１】
尚、原稿給送装置１００の電源オン時には、原稿給送装置１００内の駆動部（分離モータ８０、反転モータ８１、ベルトモータ８２、揺動モータ８３は、排紙モータ８４、ストッパソレイノイド８５、分離クラッチ８６、反転フラッパソレノイド８７、プリ反転フラッパソレノイド８８、排紙フラッパソレノイド８９）の初期化を行うが、上記ＯＮ／ＯＦＦ信号をＯＮに切り替えるときは、原稿給送装置１００内の駆動部の初期化は行わないので、騒音を防止し、短時間で動作可能になる。原稿トレイ１０５、ないしは、手差し原稿トレイ１４にセットされた原稿の画像読み取り動作が開始した後、各々のトレイ上にセットされた全ての原稿が排紙トレイ１０６に排出されたことに応じて、少なくとも分離センサ３０、斜行検知センサ３１、レジスト前センサ３２、レジスト後センサ３３、反転センサ３４、排紙センサ３６のＯＮ／ＯＦＦ信号をＯＦＦさせて、センサ発光素子の発光を止める（検知不可能状態にする）。
【００３２】
また、トレイ上に原稿がセットされた後、画像読み取り動作が行われないまま、原稿セットセンサ３７、ないしは、手差し原稿セットセンサ４０がＯＦＦして紙を検知しない状態となったことに応じて、少なくとも分離センサ３０、斜行検知センサ３１、レジスト前センサ３２、レジスト後センサ３３、反転センサ３４、排紙センサ３６のＯＮ／ＯＦＦ信号をＯＦＦしてセンサ発光素子の発光を止める（検知不可能状態にする）。
【００３３】
上述のように、少なくとも分離センサ３０、斜行検知センサ３１、レジスト前センサ３２、レジスト後センサ３３、反転センサ３４、排紙センサ３６のＯＮ／ＯＦＦ信号をＯＦＦしてセンサ発光素子の発光を止める（検知不可能状態にする）ことにより、センサの寿命を延ばすことができ、消費電力を低下させることができる。尚、上述のＯＮ／ＯＦＦ信号を可変のアナログ値に置き換えて、上記ＯＦＦにする条件のときには上記ＯＮに相当するときのアナログ値よりも低い値にすることにより、センサ発光素子の発光量を低下させ、センサの寿命を延ばし、消費電力を低下させることもできる。
【００３４】
また、原稿給送装置１００から搬送された原稿ではなく、プラテンガラス２０５上にセットされた原稿画像をイメージリーダ２００が読み取る（ブックモード）場合、読み取り終了後に、プラテンガラス２０５上の原稿が取り除かれたか否かを原稿給送装置１００の開閉で判断することもある。原稿給送装置１００に原稿がセットされておらず、開閉検知センサ４６が開閉状態を検知不可能な状態では、上記判断が出来なくなってしまう為、開閉検知センサ４６は、原稿セットセンサ３７と同様に常時、センサ発光素子を発光させておき開閉状態を検知可能としておく。検知した原稿給送装置の開閉状態は、通信用ＩＣ９３を介して、常時、画像形成装置３００へ通知される。
【００３５】
他の実施形態として、原稿セットセンサ３７のみでなく、原稿トレイ１０５上に設けられた原稿後端検知センサ３８や最終原稿検知センサ３９も常時、原稿の有無を検知可能な構成にしておき、いずれかのセンサが原稿の有りを検知した時点でＯＮ／ＯＦＦ信号をＯＮして全てのセンサを検知可能な状態に切り替える構成でも良い。また、全てのセンサが原稿の無しを検知した時点でＯＮ／ＯＦＦ信号をＯＦＦして他のセンサを検知不可能な状態に切り替えても良い。
【００３６】
【発明の効果】
以上説明したように、請求項１記載の発明によれば、シートを積載するためのトレイと、前記トレイ上のシートの有無を検知する第１の検知手段と、前記トレイから給紙されたシートが搬送される搬送路と、前記搬送路内に設けられ、シートの有無を検知可能な状態と検知不可能状態を電気的に切り替え可能な第２の検知手段と、第１の検知手段が検知可能な状態にあるにも関わらず、第２の検知手段を検知不可能状態に変える制御手段と、を有し、前記第１の検知手段がシート有りを検知したことに応じて前記制御手段が前記第２の検知手段を検知可能な状態に変えるので、第２の検知手段の寿命を延ばすことが可能となる。
【００３７】
また、請求項５記載の発明によれば、原稿を積載するための原稿トレイと、前記原稿トレイ上の原稿の有無を検知する第１の検知手段と、前記原稿トレイから給紙されたシートが搬送される原稿搬送路と、前記原稿搬送路内に設けられ、原稿の有無を検知可能な状態と検知不可能状態を電気的に切り替え可能な第２の検知手段と、第１の検知手段が検知可能な状態にあるにも関わらず、第２の検知手段を検知不可能状態に変えると、を有し、前記第１の検知手段が原稿有りを検知したことに応じて前記制御手段が前記第２の検知手段を検知可能な状態に変えるので、第２の検知手段の寿命を延ばすことが可能となる。
【００３８】
また、請求項５記載の発明によれば、第２の検知手段が検知不可能状態にあってもトレイに原稿が載置されたか否かを検知できる。また、請求項５記載の発明によれば、搬送路内に設けられた第２の検知手段は必要に応じて検知不可能状態にすることができる。また、請求項５記載の発明によれば、原稿が原稿トレイに載置されたことにより第２の検知手段を検知不可能状態から検知可能に切り替えることにより、第２の検知手段の寿命を延ばすことができる。また、請求項６記載の発明によれば、原稿トレイに原稿が載置された後にその原稿が取り除かれたときに第２の検知手段を検知可能状態から検知不可能状態に切り替えることにより、第２の検知手段の寿命を延ばすことができる。また、請求項７記載の発明によれば、全ての原稿の画像読取の後に第２の検知手段を検知可能状態から検知不可能状態に切り替えることにより、第２の検知手段の寿命を延ばすことができる。また、請求項８記載の発明によれば、第２の検知手段の発光素子の発光を止めることにより、第２の検知手段の発光素子の寿命を延ばすことができる。また、請求項９記載の発明によれば、第２の検知手段の発光素子の発光量を低下させることにより、第２の検知手段の発光素子の寿命を延ばすことができる。また、請求項１０記載の発明によれば、原稿給送装置の開閉を常に監視することができる。また、請求項１１記載の発明によれば、簡易低廉な構成の原稿給送装置を提供することができる。また、請求項１２記載の発明によれば、簡易低廉な構成の原稿給送装置を提供することができる。また、請求項１３の発明によれば、駆動部の初期化を行わずに第２の検知手段を検知可能な状態に変える制御を制御部が行うために、駆動部の初期化による騒音を防止し、短時間で動作可能となる。
【図面の簡単な説明】
【図１】画像形成装置の構成を示す図である。
【図２】画像形成装置の制御部の構成を示すブロック図である。
【図３】画像信号制御部４０５の構成を示すブロック図である。
【図４】原稿給送装置のセンサ構成を示す図である。
【図５】原稿給送装置の搬送路構成を示す図である。
【図６】原稿給送装置の駆動系構成を示す図である。
【図７】原稿給送装置のブロック図である。
【図８】原稿給送装置のセンサ回路図である。
【符号の説明】
３７  原稿セットセンサ
３８  原稿後端検知センサ
３９  最終原稿検知センサ
４０  手差し原稿センサ
１０５  原稿トレイ
【図１】
0003679764.tif 000002
【図２】
0003679764.tif 000003
【図３】
0003679764.tif 000004
【図４】
0003679764.tif 000005
【図５】
0003679764.tif 000006
【図６】
0003679764.tif 000007
【図７】
0003679764.tif 000008
【図８】
0003679764.tif 000009